(57)【要約】      （修正有）【課題】焙り焼き、油焼き、蒸す、揚げるの機能を具え、且つ操作ミス防止機能も具えた多機能型電気オーブン構造を提供する。【解決手段】多機能型電気オーブン構造は、オーブン１の前側及び最上面に取外し可能な門板を設置し、その内部には底部に下電熱管１３を設置し、更に最上部には上電熱管１４を設置する。この下電熱管情報には焼網１５が設置され、上電熱管には支持フレーム１６が設置される。この支持フレーム１６上に油焼き器具もしくは揚げ物器具を設置すると、オーブンには焙り焼き、油焼き、蒸し、揚げの機能が具わる。別に支持フレーム上には微動スイッチ８が設置され、油焼き器具もしくは揚げ物器具が支持フレーム１６から外されると、微動スイッチ８が始動してオーブンの電源を切り、危険から防止する。【選択図】図2
0003102703.tif 000002
【実用新案登録請求の範囲】
【請求項１】
多機能型電気オーブン構造は、オーブンの前側及び最上面に取外し可能な門板を設置し、その内部には底部に下電熱管が設置され、更に最上部には上電熱管が設置されるもので、この下電熱管情報には焼網を設置し、上電熱管には支持フレームを設置し、この支持フレーム上に油焼き器具もしくは揚げ物器具を設置すると、オーブンには焙り焼き、油焼き、蒸し、揚げの機能が具わるもので、
別に支持フレーム上には微動スイッチが設置され、油焼き器具もしくは揚げ物器具を支持フレームから外すと、微動スイッチが始動してオーブンの電源を切り、危険から防止することを特徴とする多機能型電気オーブン構造。
【請求項２】
前記油焼き器具は、内縁上方に上段面が設置され、内縁下方には下段面が設置されることを特徴とする請求項１記載の多機能型電気オーブン構造。
【請求項３】
前記揚げ物器具は、両側にそれぞれ耳が設置され、その内部には揚げ網が納置され、且つ内縁上方には凹槽が設置され、そこに蓋体が被さることを特徴とする請求項１記載の多機能型電気オーブン構造。
【請求項４】
前記門板は、その内部に門軸孔に挿入する門軸が設置されることを特徴とする請求項１記載の多機能型電気オーブン構造。
【請求項５】
前記油焼き器具は、内部に蒸し板を設置して、蒸し器具が形成されることを特徴とする請求項２記載の多機能型電気オーブン構造。
【請求項６】
前記門軸は、門板外側に前向きに突出した引金が成形され、両側には凸塊が成形され、且つその一端には弾性部品が嵌合されることを特徴とする請求項４記載の多機能型電気オーブン構造。
【考案の詳細な説明】
【技術分野】
【０００１】
本考案は、多機能型電気オーブン構造に関するもので、焙り焼き、油焼き、蒸し、揚げの機能を具え、且つ操作ミス防止機能も具えたものである。
【背景技術】
【０００２】
今日、一般家庭で使用される料理器具は大抵一つの機能しか具えていない。例えば、平底鍋、揚げ物鍋、蒸鍋、オーブンなどである。そのうち、オーブン及び平底鍋は常用するものの、その他の器具は使用頻度が低い割に、それらの器具の購入ストは高い。また収納、包装の空間を取り、狭い台所をより狭くしている。このため、購入コストを節約し、使用頻度を高める必要がある。
【特許文献１】特開平０８−１３８８６４号公報
【考案の開示】
【考案が解決しようとする課題】
【０００３】
解決しようとする問題点は、一つの料理器具に一つの機能しか具わっていないため、低い利用率の割に場所を取っている点である。
【課題を解決するための手段】
【０００４】
本考案は、オーブンの前側及び最上面に取外し可能な門板を設置し、その内部には底部に下電熱管を設置し、更に最上部には上電熱管を設置する。この下電熱管情報には焼網が設置され、上電熱管には支持フレームが設置される。この支持フレーム上に油焼き器具もしくは揚げ物器具を設置すると、オーブンには焙り焼き、油焼き、蒸し、揚げの機能が具わる。別に支持フレーム上には微動スイッチが設置され、油焼き器具もしくは揚げ物器具が支持フレームから外されると、微動スイッチが始動してオーブンの電源を切り、危険から防止することを最も主要な特徴とする。
すなわち、本考案の多機能型電気オーブン構造は、以下に述べる特徴を有する。
請求項１に記載の多機能型電気オーブン構造は、オーブンの前側及び最上面に取外し可能な門板を設置し、その内部には底部に下電熱管が設置され、更に最上部には上電熱管が設置されるもので、この下電熱管情報には焼網を設置し、上電熱管には支持フレームを設置し、この支持フレーム上に油焼き器具もしくは揚げ物器具を設置すると、オーブンには焙り焼き、油焼き、蒸し、揚げの機能が具わるもので、
別に支持フレーム上には微動スイッチが設置され、油焼き器具もしくは揚げ物器具を支持フレームから外すと、微動スイッチが始動してオーブンの電源を切り、危険から防止することを特徴とする。
請求項２に記載のように、前記油焼き器具は、内縁上方に上段面が設置され、内縁下方には下段面が設置されることを特徴とする。
請求項３に記載のように、前記揚げ物器具は、両側にそれぞれ耳が設置され、その内部には揚げ網が納置され、且つ内縁上方には凹槽が設置され、そこに蓋体が被さることを特徴とする。
請求項４に記載のように、前記門板は、その内部に門軸孔に挿入する門軸が設置されることを特徴とする。
請求項５に記載のように、前記油焼き器具は、内部に蒸し板を設置して、蒸し器具が形成されることを特徴とする。
請求項６に記載のように、前記門軸は、門板外側に前向きに突出した引金が成形され、両側には凸塊が成形され、且つその一端には弾性部品が嵌合されることを特徴とする。
【考案の効果】
【０００５】
本考案の多機能型電気オーブン構造は、下述の利点がある。
オーブンに焙り焼き、油焼き、蒸し、揚げの機能を具え、その他調理具を購入するコストを節約する。
また、微動スイッチの設置により、油焼き器具、揚げ物器具がオーブン本体に設置されてないときには電源を切り、操作ミスを防止する。
【考案を実施するための最良の形態】
【０００６】
図１及び図２に示すとおり、本考案の多機能型電気オーブン構造は、オーブン１前側に前門板１１、最上面に最上門板１１、１２が設置され、どちらも取り外しが可能である。また、このオーブン内部の底部には下電熱管１３及び最上部には上電熱管１４が設置される。この下電熱管１３上方には焼網１５が設置され、上電熱管１４上には支持フレーム１６が設置される。この支持フレーム１６上には油焼き器具２、揚げ物器具３が設置されるようになっており、オーブンには焙り焼き、油焼き、蒸し及び揚げの機能が具わっている。またこの支持フレーム上には微動スイッチ８が設置され、支持フレーム１６上の油焼き器具２、もしくは油焼き器具３が支持フレーム１６から取り外されると、この微動スイッチ８が始動し、オーブン１の電源を切り、危険から防止する。
【０００７】
図３及び図４に示すとおり、油焼き器具２内縁上方には上段面２１が成形され、そこに蓋体４を置く。また油焼き器具内縁下方にも下段面２２が成形され、そこに蒸し板５を設置し、蒸し器具が形成される。更にこの揚げ物器具３両側にはそれぞれ耳３２が設置され、内部に揚げ網６を入れる。更に内縁上方には凹槽３１が設置され、そこに蓋体４を被せる。またこの蓋体４は前述の油焼き器具３もしくは揚げ物器具３上にも合わさり、この蓋体４最上面には掴むための蓋つまみ４１が設置される。
【０００８】
図５に示すとおり、このオーブン１最上門板１２及び前門板１１内には同様に門軸孔９ａ、９ｂに挿し込む為の門軸７が設置されており、この門軸７上には門板１１，１２外に前突出した引金７１が成形され、その両側にはそれぞれ凸塊７２が設置される。更に一端には弾性部品７３が設置され、門軸７の引金７１を外したい時、門軸７を右側の門軸孔９ａ方向へ移動すると、同時に門軸１左側末端も右に移動するので、左側軸末端が門軸孔９ｂから外れ、門板１は簡単に両側門軸孔９ａ、９ｂから外れる。
【０００９】
図６に示すとおり、油焼き器具２を使用して食品を焼く場合、先ず最上門板１２を前述の方法で取外す。次に油焼き器具２を支持フレーム１６上に置く。この時油焼き器具２底部が支持フレーム１６上の微動スイッチ８を押すので、オーブン１の上電熱管１４が通電し、食品を焼くことができる。また、油焼き器具２を取外すと、微動スイッチ８がオーブンの電源と連通しているため、即座に電源が切れ、操作上安全である。
【００１０】
図７に示すとおり、油焼き器具２を使用して食品を蒸す場合、先ず、最上門板１２を前述の方法で取外す。次に油焼き器具２を支持フレーム１６上に置き、油焼き器具２底部が支持フレーム１６上の微動スイッチ８を押すので、オーブンの上電熱管１４が通電する。そして再び油焼き器具２の下断面２より少ない水を入れ、蒸し板５を下断面２２上に置き、最後に蓋体４を油焼き器具２上に被せて、蒸し物を調理する。
【００１１】
図８に示すとおり、揚げ物器具３を使用して揚げ物を調理する場合、先ず最上門板１２を前述の方法で取外す。次に揚げ物器具３を支持フレーム１６上に置き、揚げ物器具３底部が支持フレーム１６上の微動スイッチ８を推すので、オーブンの上電熱管１４が通電する。そして再び揚げ物器具３内に油を注ぎ、蓋体４を揚げ物器具３上に被せ、食品を揚げる。この他、図９に示すとおり、揚げ物器具３に揚げ網６を使用すると、更に揚げるのが便利になる。
【図面の簡単な説明】
【００１２】
【図１】本考案の多機能型電気オーブン立体図である。
【図２】本考案の多機能型電気オーブンの立体分解図である。
【図３】本考案の油焼き器具立体分解図である。
【図４】本考案の揚げ物器具立体分解図である。
【図５】本考案の門軸断面指示図である。
【図６】本考案の油焼き器具を使用して油焼きする状態参考図である。
【図７】本考案の油焼き器具を使用して蒸し調理する状態参考図である。
【図８】本考案の揚げ物器具を使用して揚げ物徴する状態参考図である。
【図９】本考案の揚げ物器具及び揚げ網を使用して揚げ調理する状態参考図である。
【符号の説明】
【００１３】
１        オーブン
１１        前門板
１２        最上門板
１３        下電熱管
１４        上電熱管
１５        焼網
１６        支持フレーム
２        油焼き器具
２１        上断面
２２        下断面
３        揚げ物器具
３１        凹槽
３２        耳
４        蓋体
４１        蓋つまみ
５        蒸し板
６        揚げ網
７        門軸
７１        引金
７２        凸塊
７３        弾性部品
８        微動スイッチ
９ａ      右側門軸孔
９ｂ      左側門軸孔
【図１】
0003102703.tif 000003
【図２】
0003102703.tif 000004
【図３】
0003102703.tif 000005
【図４】
0003102703.tif 000006
【図５】
0003102703.tif 000007
【図６】
0003102703.tif 000008
【図７】
0003102703.tif 000009
【図８】
0003102703.tif 000010
【図９】
0003102703.tif 000011